(57)【要約】【課題】録画番組と放送番組の効率的な管理と検索性の向上【解決手段】番組（映像信号）を記録媒体に録画するときには、映像や音声とともに、関連する電子番組情報も記録され録画番組情報として管理される。また、放送中の番組に関して電子番組情報が放送番組情報として管理され、これらの録画番組情報と放送番組情報とが統一的に管理される。さらに、統一的に管理された録画番組情報と放送番組情報に含まれる番組情報がグループ別に管理される。そしてユーザーの検索操作に応じてグループ管理された情報を参照して放送映像信号又は再生映像信号が出力される。【選択図】　　　　図２
2004064519.tif 000002
【特許請求の範囲】
【請求項１】
入力される放送映像信号に関する電子番組情報を取得する取得手段と、
入力された放送映像信号を記録媒体に記録し、また記録媒体から映像信号を再生することのできる記録再生手段と、
放送映像信号、及び上記記録再生手段で再生された再生映像信号を出力する出力手段と、
上記取得手段で取得した電子番組情報を放送番組情報として管理する放送番組情報管理手段と、
上記記録再生手段による放送映像信号の記録媒体への記録に応じて、その映像信号に対応する電子番組情報内容を、録画番組情報として管理する録画番組情報管理手段と、
上記放送番組情報管理手段により管理される放送番組情報と、上記録画番組情報管理手段により管理される録画番組情報とを、統一的に管理する番組情報管理手段と、
上記番組情報管理手段で管理される上記放送番組情報と上記録画番組情報に含まれる各番組情報をグループ別に管理するグループ管理手段と、
操作に応じて上記グループ管理手段に管理される情報を参照して、上記出力手段から放送映像信号又は再生映像信号を出力させる出力制御手段と、
を備えたことを特徴とする映像記録再生装置。
【請求項２】
上記取得手段は、入力された放送映像信号に重畳された電子番組情報、もしくはネットワーク通信を介して受信される電子番組情報を取得することを特徴とする請求項１に記載の映像記録再生装置。
【請求項３】
上記グループ管理手段は、上記番組情報管理手段で管理される放送番組情報及び録画番組情報を参照する形式で、各番組情報をグループ管理することを特徴とする請求項１に記載の映像記録再生装置。
【請求項４】
入力される放送映像信号に関する電子番組情報を取得する手順と、
取得した電子番組情報を放送番組情報として管理する手順と、
入力された放送映像信号を記録媒体に記録することに応じて、記録した映像信号に対応する電子番組情報内容を、録画番組情報として管理する手順と、
上記放送番組情報と、上記録画番組情報とを、統一的に管理する手順と、
上記統一的に管理された上記放送番組情報と上記録画番組情報に含まれる各番組情報をグループ別に管理する手順と、
操作に応じて上記グループ別の管理情報を参照して、入力される放送映像信号又は記録媒体から再生される再生映像信号を出力させる手順と、
が行われることを特徴とする番組管理方法。
【請求項５】
上記電子番組情報を取得する手順では、入力された放送映像信号に重畳された電子番組情報、もしくはネットワーク通信を介して受信される電子番組情報を取得することを特徴とする請求項４に記載の番組管理方法。
【請求項６】
上記グループ別に管理する手順では、上記統一的に管理された上記放送番組情報と上記録画番組情報を参照する形式で、各番組情報をグループ管理することを特徴とする請求項４に記載の番組管理方法。
【発明の詳細な説明】
【０００１】
【発明の属する技術分野】
本発明は、テレビ番組などを録画及び再生する映像記録再生装置、及び放送映像信号と録画した映像信号を好適にグループ管理できる番組管理方法に関するものである。
【０００２】
【従来の技術】
放送衛星や通信衛星等の衛星によって、テレビジョン信号をデジタル信号化して伝送し、例えば各家庭においてこの放送信号を受信して視聴する、デジタル衛星放送システムが普及してきている。このような放送システムにおいては、例えば１５０近くあるチャンネルを確保することが可能であるため、例えばこれまでの地上波による放送と比較しても、非常に多くの番組を放送することができる。
【０００３】
そこで、デジタル衛星放送システムでは、多くの番組のなかから所望の番組を確実に選択できるようにするために、放送番組についての情報である、電子番組ガイド（ＥＰＧ：Ｅｌｅｃｔｒｉｃａｌ　Ｐｒｏｇｒａｍ　Ｇｕｉｄｅ）　の情報を伝送するようにしている。デジタル衛星放送受信装置側では電子番組ガイドのデータに基づいて番組ガイド表を作成して表示出力可能に構成されている。この番組ガイド表は、ＧＵＩ（Ｇｒａｐｈｉｃａｌ　Ｕｓｅｒ　Ｉｎｔｅｒｆａｃｅ）として構成されており、例えばユーザは、この番組ガイド表に対する操作を行うことで所望の番組を選択することなどができるようになっている。
【０００４】
またＥＰＧには番組のジャンル、例えばニュース、スポーツ、ドラマなどの種別が含まれており、ＥＰＧを利用することで、放送中の番組をジャンル毎にグループ化して管理することができるため、これを利用して大量のチャンネルの中から見たいジャンルの番組を検索することも可能とされている。
【０００５】
【発明が解決しようとする課題】
ところで近年、ハードディスクなどの大容量記録媒体を用い、テレビ番組を録画できる記録再生装置が実現されている。
このような記録再生装置に大量に多様な番組が録画されると、ユーザーは見たい番組を検索することが困難となる。
ここで、例えば上記ＥＰＧを利用したグループ管理のような手法を録画した番組について採用できれば、検索性が向上することが考えられる。
しかしながら、大容量記録媒体に番組を大量に録画しそれらをグループ分けしていったとしても、一つの番組が複数のグループに存在するようになると、録画番組の管理が煩雑になってくる。
また、録画した番組をグループ別に管理すると、現在放送中の番組のＥＰＧを利用したグループ管理との区別がユーザーには付きにくくなり、使用上の混乱を与えてしまう。
【０００６】
【課題を解決するための手段】
そこで本発明は、録画された映像信号を検索性よく管理できるようにすると共に、放送中の番組と統一的に管理し、管理の効率化と、ユーザーに使用上の混乱を与えないようにすることを目的とする。
【０００７】
このため本発明の映像記録再生装置は、入力される放送映像信号に関する電子番組情報を取得する取得手段と、入力された放送映像信号を記録媒体に記録し、また記録媒体から映像信号を再生することのできる記録再生手段と、放送映像信号、及び上記記録再生手段で再生された再生映像信号を出力する出力手段と、上記取得手段で取得した電子番組情報を放送番組情報として管理する放送番組情報管理手段と、上記記録再生手段による放送映像信号の記録媒体への記録に応じて、その映像信号に対応する電子番組情報内容を、録画番組情報として管理する録画番組情報管理手段と、上記放送番組情報管理手段により管理される放送番組情報と、上記録画番組情報管理手段により管理される録画番組情報とを、統一的に管理する番組情報管理手段と、上記番組情報管理手段で管理される上記放送番組情報と上記録画番組情報に含まれる各番組情報をグループ別に管理するグループ管理手段と、操作に応じて上記グループ管理手段に管理される情報を参照して、上記出力手段から放送映像信号又は再生映像信号を出力させる出力制御手段とを備える。
また、上記取得手段は、入力された放送映像信号に重畳された電子番組情報、もしくはネットワーク通信を介して受信される電子番組情報を取得する。
また上記グループ管理手段は、上記番組情報管理手段で管理される放送番組情報及び録画番組情報を参照する形式で、各番組情報をグループ管理する。
【０００８】
本発明の番組管理方法は、入力される放送映像信号に関する電子番組情報を取得する手順と、取得した電子番組情報を放送番組情報として管理する手順と、入力された放送映像信号を記録媒体に記録することに応じて、記録した映像信号に対応する電子番組情報内容を、録画番組情報として管理する手順と、上記放送番組情報と、上記録画番組情報とを、統一的に管理する手順と、上記統一的に管理された上記放送番組情報と上記録画番組情報に含まれる各番組情報をグループ別に管理する手順と、操作に応じて上記グループ別の管理情報を参照して、入力される放送映像信号又は記録媒体から再生される再生映像信号を出力させる手順とが行われる。
上記電子番組情報を取得する手順では、入力された放送映像信号に重畳された電子番組情報、もしくはネットワーク通信を介して受信される電子番組情報を取得する。
上記グループ別に管理する手順では、上記統一的に管理された上記放送番組情報と上記録画番組情報を参照する形式で、各番組情報をグループ管理する。
【０００９】
以上の本発明によれば、番組（映像信号）を記録媒体に録画するときには、映像や音声とともに、関連する電子番組情報も記録され録画番組情報として管理される。すると、電子番組情報の内容を利用して、録画した番組についてもジャンル毎のグループ管理が可能となる。
例えばグループ別に管理された録画番組を、通常のテレビ放送番組のように、グループ間でザッピングできるようにして番組検索が容易とすることができる。ここで、グループ管理は、放送中の番組にかかるグループ管理と統一的に行われるようにすることで、管理および検索処理を、放送中の番組と録画番組で統合的に実行できるようになる。
【００１０】
【発明の実施の形態】
以下、本発明の実施の形態について説明する。なお、本実施の形態の記録再生装置は、デジタル衛星放送受信機に例えばＨＤＤドライブなどによる記録再生部が設けられて成るものとする。もちろん、本発明の映像記録再生装置がこのような構成に限定されるものではない。
【００１１】
図１は、本発明の実施の形態としての映像記録再生装置１として、デジタル衛星放送受信機１に映像記録再生機能が付加された装置の構成例を示している。
例えばここでは図示しない通信衛星又は放送衛星から送信された放送波は、パラボラアンテナ３０により受信され、映像記録再生装置１のチューナ部２に供給される。この放送波には規定のフォーマットにしたがって電子番組情報のデータ（以降、ＥＰＧ（Ｅｌｅｃｔｒｏｎｉｃ　Ｐｒｏｇｒａｍ　Ｇｕｉｄｅ）　データという）が重畳されている。
なお、上記放送波としては、デジタル衛星放送波の他に有線放送波や地上波などの何れとされても構わない。また、受信した放送波がアナログ信号又はデジタル信号の何れとされるかによって、チューナ２部及び以降説明する各機能回路部の内部構成は適宜変更されることになる。
【００１２】
チューナ部２は、システムコントローラ８の制御に従って選局処理を行い、選局して得られたチャンネルに対応するストリームデータを得る。この場合、チューナ部２から出力されたストリームデータは、番組情報抽出部３に供給される。なお、チューナ部２から出力されるストリームデータには、受信チャンネルの番組内容としての映像／音声情報の他、ＥＰＧデータなどの付加情報も多重化されている。
【００１３】
番組情報抽出部３は、入力されたストリームデータからＥＰＧデータを抽出し、システムコントローラ８に転送する。
システムコントローラ８では、転送されたＥＰＧデータに基づいて、例えばＲＡＭ１０を作業領域として使用し、番組ガイド表としての管面表示用データ（画像データ）を生成可能とされている。番組ガイド表は、番組閲覧、選択などのためのＧＵＩ画像として機能する。
【００１４】
またシステムコントローラ８は、放送中の番組や、後述する記録再生部１２に記録した番組についてのユーザーの検索のために、ＥＰＧデータを用いた番組管理を行う。
例えば録画予約やユーザー操作に応じて、或る番組の映像信号（及び音声信号）を記録再生部１２に記録する場合、ＥＰＧデータにおける、その番組の番組情報も同時に記録するようにし、録画番組情報として管理する。
またシステムコントローラ８は、現在各チャンネルで放送中の番組についての、ＥＰＧデータについては放送番組情報として管理する。
このような録画番組及び放送番組ついてのＥＰＧデータを用いた管理については後述する。
【００１５】
システムコントローラ８の処理によって生成された管面表示用データは、管面表示信号作成処理部７に供給される。管面表示信号作成処理部７は、システムコントローラ８から供給された管面表示用データをもとに、表示用画像信号を作成して合成処理部５に供給するようにされている。
【００１６】
また、番組情報抽出部３では、番組情報を抽出したストリームデータから、さらに、番組内容としての映像信号データ及び音声信号データを抽出する。そして、映像信号データを映像信号処理部４に対して出力し、音声信号データを音声信号処理部６に対して出力する。
デジタル衛星放送システムにおいて、放送として送信される映像／音声信号データは、例えばＭＰＥＧ２方式により圧縮符号化されている。
そこで、映像信号処理部４は、番組情報抽出部３から入力された映像信号データについて上記ＭＰＥＧ２方式に対応した復調処理等をはじめとする所要の信号処理を施した映像信号を得る。そして、この映像信号を合成処理部５に出力する。
【００１７】
合成処理部５は、映像信号処理部４から出力された映像信号と管面表示信号作成処理部７から出力された画像信号を合成し、その合成した信号を映像出力として、モニタ装置（テレビジョン受像機）４１に出力するようにされている。このとき管面表示信号作成処理部７から入力された画像信号が、番組ガイド表としてのものであれば、モニタ装置４１には、現在受信中の番組画像に重畳されるようにして、番組ガイド表が表示されることになる。
【００１８】
音声信号再生処理部６は、番組情報抽出部５から供給された音声信号データについて、例えばＭＰＥＧ２方式に対応した復調処理をはじめとする所要の信号処理を施すことによって、ここでは最終的にアナログの音声信号を得るようにされている。また、音声信号再生処理部６においては、先に説明した映像信号処理部４から出力される映像信号の出力タイミングに同期した音声信号を得るようにされている。そして、この音声信号をスピーカ４２に出力する。
【００１９】
記録再生部１２は、例えばＨＤＤ（ハードディスクドライブ）などによる大容量の記録媒体により、大量の映像記録を行うことのできる部位とされる。
例えばシステムコントローラ８は、ユーザーによる録画予約設定や手動録画操作に応じて、記録再生部１２に映像記録を実行させる。即ち受信され、番組情報抽出部３で得られる映像信号データ、音声信号データを記録再生部１２に供給し、記録させる。
またユーザー操作により再生が指示された場合は、システムコントローラ８は記録再生部１２に所定の映像信号データ（及び音声信号データ）の再生を実行させる。再生された映像信号データ及び音声信号データは番組情報抽出部３を介して映像信号処理部４，音声信号処理部６に供給され、上述と同様に復調処理等が行われてモニタ装置４１，スピーカ４２から出力される。
【００２０】
また記録再生部１２では、映像信号データ、音声信号データだけでなく、その録画番組に対応してＥＰＧデータがシステムコントローラ８の制御によって記録される。そして記録再生部１２のハードディスクの所定の領域において録画番組情報としての管理情報が格納される。また、放送中の番組に関するＥＰＧデータも、記録再生部１２のハードディスクの所定の領域において放送番組情報として格納される。
なお、本例では記録再生部１２において録画番組情報、放送番組情報としてのＥＰＧデータが記録されるものとするが、例えばフラッシュメモリ部などの不揮発性メモリ部などの他の記憶領域を備えるようにし、システムコントローラ８が、その他の記憶領域にＥＰＧデータを記憶させるようにしてもよい。
【００２１】
システムコントローラ８は、例えばＣＰＵ（Ｃｅｎｔｒａｌ　Ｐｒｏｃｅｓｓｉｎｇ　Ｕｎｉｔ）を備え、当該映像記録再生機能を備えたデジタル衛星放送受信機についての動作制御を実行する。
この場合、システムコントローラ８に対しては、ＲＯＭ９及びＲＡＭ１０が備えられる。ＲＯＭ９には、システムコントローラ８が各種動作機能を実現するために実行すべきプログラムが記憶される。また、デバイス設定情報なども格納される。
特に、本実施の形態においては、ＲＯＭ９内にＥＰＧデータを用いた番組検索処理及び録画及び放送番組の管理のためのプログラムが記憶される。
【００２２】
ＲＡＭ１０は、システムコントローラ８が各種制御処理を実行する場合の作業領域であり、システムコントローラ８が実行する処理に応じて、適宜、各種のデータが保持される。
【００２３】
また、本実施の形態の映像記録再生装置１に対しては、リモートコントローラ２０が付属されている。ユーザは、リモートコントローラ２０に対する操作を行うことで、映像記録再生装置１にて所望の動作が実行されるようにコントロールすることができる。
リモートコントローラ２０に対して操作が行われることに応じては、その操作に応じた操作情報信号が、例えば赤外線信号や電波などにより無線の形態で送信出力される。このようにして送信された操作情報信号は受信部１１にて受信される。
受信部１１では、受信した操作情報信号をシステムコントローラ８が処理可能なコマンドに変換し、システムコントローラ８に対して転送する。システムコントローラ８では、入力したコマンドに応答した所要の制御処理を実行する。これにより、映像記録再生装置１では、ユーザ操作に応じた動作が行われることになる。
なお、もちろん映像記録再生装置１の本体に対して各種操作子を設け、この操作子に対する操作に対応するコマンドに応じて、システムコントローラ８が所要の制御処理を実行するように構成してもよい。
【００２４】
外部インターフェース１３は、周辺機器との間でデータ通信可能に接続するためのインターフェースであり、例えばパーソナルコンピュータ等によるネットワーク端末装置４３と接続可能とされる。
ネットワーク端末装置４３は、例えばインターネット接続が可能な端末とされ、インターネットを介して各種情報をダウンロードできる。近年、ＥＰＧデータはインターネットを介して取得することもできるが、例えば映像記録再生装置１は、外部インターフェース１３を介してネットワーク端末装置４３と接続されることで、インターネットを介して所定のサーバから送信されるＥＰＧデータを取得できるものとなる。
即ち映像記録再生装置１がＥＰＧデータを取得する経路としては、放送信号に重畳されたＥＰＧデータを番組情報抽出部３で抽出して取得する経路と、インターネット等のネットワークを介して取得する経路とがある。
なお、映像記録再生装置１自体がネットワーク通信機能を備えるようにし、ネットワーク端末装置４３を介さずに直接所定のサーバからＥＰＧデータを取り込むようにしてもよい。
【００２５】
続いて、番組検索に好適な本例の録画・放送番組の管理方式について説明していく。
上述したように、システムコントローラ８は放送される番組に関して電子番組情報（ＥＰＧ）を取得することで、ユーザーに番組表を表示させたり、録画制御を行うことができる。
特に本例の場合、システムコントローラ８は、放送中の番組や、記録再生部１２に記録した番組についてのユーザーの検索のために、ＥＰＧデータを用いた番組管理を行う。
システムコントローラ８は、録画予約やユーザー操作に応じて、或る番組の映像信号（及び音声信号）を記録再生部１２に記録する場合、その番組の電子番組情報（ＥＰＧデータ）も同時に記録させる。そして録画番組情報として管理する。またシステムコントローラ８は、現在各チャンネルで放送中の番組についての、ＥＰＧデータを放送番組情報として管理する。
【００２６】
この番組管理のためのプログラム構造を図２に示す。
番組管理のためのプログラムモジュールとして、録画番組管理プログラムＰ１、放送番組管理プログラムＰ２、番組情報管理プログラムＰ３、番組グループ管理プログラムＰ４が構築される。
【００２７】
録画番組管理プログラムＰ１は、記録再生部１２に記録（録画）した各番組についてのＥＰＧデータを、録画番組情報Ｄ１として管理する。
放送番組管理プログラムＰ２は、放送中の各番組についてのＥＰＧデータを、放送番組情報Ｄ２として管理する。
番組情報管理プログラムＰ３は、録画番組管理プログラムＰ１に管理される録画番組情報Ｄ１、及び放送番組管理プログラムＰ２によって管理されている放送番組情報Ｄ２としての各ＥＰＧデータを吸い上げ、放送している番組と録画された番組に関するＥＰＧデータを併せて統一的なインターフェースを持つ番組情報Ｄ３を作成する。
【００２８】
番組グループ管理プログラムＰ４は、番組情報管理プログラムＰ３から番組情報Ｄ３を取り出し、あらかじめ決められた分類に基づいて番組グループとしてグループ分けを行う。即ち例えばニュース、スポーツ、ドラマ・・・等の番組ジャンル毎にグループＧＰ１、ＧＰ２・・・ＧＰｎとしてグループ分けした番組グループ情報Ｄ４を作成する。
管理される番組としては、録画された番組と現在放送されている番組があるが、これらは統一的に扱えるようにグループ分けが行われる。
【００２９】
録画番組管理プログラムＰ１によって管理される録画番組情報Ｄ１のデータ構造例を図３に示す。
録画番組情報Ｄ１には、データ名Ｖｅ１、Ｖｅ２・・・として、録画された番組毎に１つのデータ名が設定され、データが管理される。なお、このデータ名とは、録画番組情報Ｄ１における各データの識別子（データ番号）としての意味である。
【００３０】
そして１つの録画番組に対する情報としては、ＥＰＧデータとファイルリンクの情報が含まれる。
上述のように映像記録再生装置１が取得する電子番組情報（ＥＰＧデータ）としては、１つの番組につき、例えば番組タイトル、ジャンル、放送チャンネル、放送時間、出演者、その他解説等の各種情報が含まれる。
或る番組の録画が行われた際には、その番組についてのこれらのＥＰＧデータが抽出され、図３の録画番組情報として、データ名に付随されて管理される。
また、ファイルリンクは、記録再生部１２でのハードディスクにおける実際の番組データ（映像信号データ、音声信号データ）のファイルを指定する情報である。つまり、録画番組情報Ｄ１における１つのデータ名が指定された場合、ファイルリンクによって、対応する実際の番組データが指定でき、その番組を再生させることができる。
【００３１】
なお、この例では録画番組情報Ｄ１における１つのデータ名には、ＥＰＧデータとファイルリンクが含まれるものとしたが、例えば録画の前後などにユーザーが情報入力を行った場合、その情報を含むようにしてもよい。例えばユーザーが番組について任意に設定したジャンルやメモ書き等の情報を付加しても良い。
【００３２】
放送番組管理プログラムＰ２によって管理される放送番組情報Ｄ２のデータ構造例を図４に示す。
放送番組情報Ｄ１も、データ名Ｌｅ１、Ｌｅ２・・・として、放送中の番組毎に１つのデータ名が設定され、データが管理される。このデータ名は、放送番組情報Ｄ２における各データの識別子（データ番号）である。
【００３３】
そして１つの放送中の番組に対する情報としては、ＥＰＧデータが含まれる。即ち、映像記録再生装置１が取得する電子番組情報（ＥＰＧデータ）として、１つの番組につき含まれている番組タイトル、ジャンル、放送チャンネル、放送時間、出演者、その他解説等の各種情報である。
例えば放送番組管理プログラムＰ２は、取得した電子番組情報から放送中の番組についてのＥＰＧデータを抽出し、このような放送番組情報Ｄ２を生成管理する。
そしてＥＰＧデータには放送チャンネルの情報が含まれているため、放送番組情報Ｄ２における１つのデータ名が指定された場合、そのデータ名に対応する実際の放送番組データをチューナ部２で受信させ、その番組の映像をモニタ装置４１等で出力させることができる。
【００３４】
番組情報管理プログラムＰ３は、これら録画番組情報Ｄ１としてのデータＶｅ１，Ｖｅ２・・・と、放送番組情報Ｄ２としてのデータＬｅ１，Ｌｅ２・・・を、統括管理する。そして番組グループ管理プログラムＰ４に受け渡し、番組グループ管理プログラムＰ４は、例えば録画番組情報Ｄ１のデータＶｅ１，Ｖｅ２・・・と、放送番組情報Ｄ２のデータＬｅ１，Ｌｅ２・・・に含まれるジャンルの情報に基づいてグループ分けを行った番組グループ情報Ｄ４を生成する。
【００３５】
図５に番組グループ情報Ｄ４のデータ構造例を示す。
番組グループ情報Ｄ４では、データＶｅ１，Ｖｅ２・・・及びデータＬｅ１，Ｌｅ２・・・を、例えばニュース、スポーツなどのジャンル毎に、グループＧＰ１，ＧＰ２・・・ＧＰｎとしてグループ分けした情報構造が形成される。
１つのグループＧＰ（ｘ）には、録画番組情報Ｄ１に含まれるデータ（Ｖｅ（ｘ））と、放送番組情報Ｄ２に含まれるデータ（Ｌｅ（ｘ））が共に含まれる。例えばニュース番組のグループＧＰ１には、データＶｅ１、Ｖｅ５、Ｖｅ６・・・、Ｌｅ３、Ｌｅ４として、録画された番組と放送中の番組が共通管理される。これらデータ（Ｖｅ（ｘ））、データ（Ｌｅ（ｘ））は、録画番組情報Ｄ１又は放送番組情報Ｄ２における１つの番組に対応するデータを示す識別子であるため、番組グループ情報Ｄ４は、番組情報Ｄ３で統一的に管理されている録画番組情報Ｄ１、放送番組情報Ｄ２を参照する形式で、グループ分けの情報を提示するものとなる。
【００３６】
このように録画された番組と放送中の番組が共通にグループ管理され、システムコントローラ８がグループ情報Ｄ４を参照しながらユーザーの検索操作に対応することで、録画番組についての検索性が向上されるとともに、ユーザーは試聴可能な番組を検索する際に、録画したものか放送中のものかを意識する必要はなくなる。
例えばユーザーの検索操作に応じてモニタ装置４１に出力される映像の例を図６に示す。
【００３７】
例えばリモートコントローラ２０には、検索のための操作子としてＺａＰ＋キー、Ｚａｐ−キー、Ｗａｒｐ＋キー、Ｗａｒｐ−キーが備えられているとする。
ＺａＰキー（ＺａＰ＋キー、Ｚａｐ−キー）は、グループを前後に切り換えるキーであり、Ｗａｒｐキー（Ｗａｒｐ＋キー、Ｗａｒｐ−キー）は、グループ内で番組を前後に切り換えるキーである。例えばリモートコントローラ２０においては、これらのキーが十字方向キーなどの態様で形成される。
なお、もちろん機器筐体パネルの操作子としてこれらのキーが設けられても良い。
【００３８】
図６の出力例に示すように、ＺａＰキーが操作されることに応じて、グループが切り換えられる。例えばグループ情報Ｄ４におけるグループＧＰ１のデータＶｅ１の番組映像が出力されている際に、ユーザーがＺａＰ＋キーを操作すると、システムコントローラ８は、番組グループ情報Ｄ４でグループＧＰ２として管理されている番組の映像出力に切り換える。従ってスポーツ番組が出力される状態となる。さらにＺａＰ＋キーが、押されていくことに従って、グループＧＰ３→ＧＰ４→・・・ＧＰｎ→ＧＰ１・・・と順方向にグループが切り換えられていく。
ＺａＰ−キーが押された場合は、グループが逆方向に切り換えられていくことになる。
このようなＺａＰキーの操作により、ユーザーは試聴可能な番組をグループ単位で映像を見ながら検索していくことができる。
【００３９】
またＷａｒｐキーが押された場合、システムコントローラ８は、現在出力中のグループに含まれる各番組を切り換えて出力する。
例えば図６のグループＧＰ２として、データＶｅ２の番組映像が出力されている際に、ユーザーがＷａｒｐ＋キーを操作すると、システムコントローラ８は、番組グループ情報Ｄ４において、現在のグループＧＰ２における次の番組、即ち図５の管理例でいえばデータＶｅ５に対応する番組の映像出力に切り換える。さらにＷａｒｐ＋キーが操作される毎に、グループＧＰ２に含まれて管理されている各番組が、順方向に切り換えられていく。Ｗａｒｐ−キーが操作された場合は、グループ内で番組が逆方向に切り換えられていく。
【００４０】
つまり本例では、図５のように番組グループ情報Ｄ４において録画番組と放送中の番組が共通にグループ管理されており、システムコントローラ８はユーザーの検索操作（ＺａＰキー・Ｗａｒｐキーの操作）に応じて、番組グループ情報Ｄ４を参照して出力する番組を切り換えていく。これによりユーザーは録画番組と放送中の番組を併せて、見たい番組を検索していくことができる。
【００４１】
ユーザーの検索操作に対応するシステムコントローラ８の処理を図７に示す。なお、この番組検索処理の開始前の時点では、録画番組又は放送中の番組として或る番組が出力されていると、変数ｍ、ｎは、その出力されている番組について番組グループ情報Ｄ４におけるポインタ値とされているものとする。変数ｎはグループを指定する変数である。変数ｍはグループ内の番組を指定する変数である。
例えば現在グループＧＰ１で管理されるニュース番組として、第１の番組、つまり図５のデータＶｅ１に相当する番組が再生出力されているとしたら、変数ｍ＝１、ｎ＝１とされているものとする。
【００４２】
システムコントローラ８は、ステップＦ１０１，Ｆ１０２，Ｆ１０３，Ｆ１０４で、ユーザーの検索操作を監視している。即ちＺａＰ＋キー、ＺａＰ−キー、Ｗａｒｐ＋キー、Ｗａｒｐ−キーのいずれかが操作されることを待機する。
ＺａＰ＋キーが操作された場合、処理をステップＦ１０１からＦ１０５に進め、変数ｎをインクリメントする。そしてステップＦ１０６で番組グループ情報Ｄ４を参照し、グループＧＰ（ｎ）における第ｍのデータを取得する。変数ｎがインクリメントされているため、現在出力中の番組が属するグループの次のグループがグループＧＰ（ｎ）として指定されることになり、そのグループＧＰ（ｎ）の第ｍのデータとして、データＶｅ（ｘ）又はＬｅ（ｘ）が取得される。
【００４３】
そしてステップＦ１０７に進み、取得されたデータＶｅ（ｘ）又はＬｅ（ｘ）によって番組情報Ｄ３で管理されている録画番組情報Ｄ１又は放送番組情報Ｄ２を参照し、そのデータＶｅ（ｘ）又はＬｅ（ｘ）に相当する番組を出力させるように制御する。
例えばステップＦ１０６でデータＬｅ（ｘ）を取得した場合は、放送番組情報Ｄ２から当該データＬｅ（ｘ）の内容を確認して放送チャンネルを判別し、チューナ部２をその放送チャンネルに制御することで、データＬｅ（ｘ）に相当する番組が出力されるようにする。
またステップＦ１０６でデータＶｅ（ｘ）を取得した場合は、録画番組情報Ｄ１から当該データＶｅ（ｘ）の内容を確認してファイルリンクを判別し、記録再生部１２からデータＶｅ（ｘ）に相当する番組が再生出力されるようにする。
【００４４】
図５の管理状態の例において、例えばグループＧＰ１（ｎ＝１）の第１（ｍ＝１）のデータＶｅ１に相当する番組が出力されている際に、ＺａＰ＋キーが操作されたとしたら、上記処理により、グループＧＰ２（ｎ＝２）の第１（ｍ＝１）のデータＶｅ２に相当する番組が出力される状態に切り換えられることになる。
【００４５】
ＺａＰ−キーが操作された場合は、システムコントローラ８は処理をステップＦ１０２からＦ１０８に進め、変数ｎをデクリメントする。そしてステップＦ１０６で番組グループ情報Ｄ４を参照し、グループＧＰ（ｎ）における第ｍのデータを取得する。変数ｎがデクリメントされているため、現在出力中の番組が属するグループの前のグループがグループＧＰ（ｎ）として指定されることになり、そのグループＧＰ（ｎ）の第ｍのデータとして、データＶｅ（ｘ）又はＬｅ（ｘ）が取得される。
そしてステップＦ１０７に進み、上記同様に、取得されたデータＶｅ（ｘ）又はＬｅ（ｘ）によって番組情報Ｄ３で管理されている録画番組情報Ｄ１又は放送番組情報Ｄ２を参照し、そのデータＶｅ（ｘ）又はＬｅ（ｘ）に相当する番組を出力させるように制御する。
【００４６】
Ｗａｒｐ＋キーが操作された場合は、システムコントローラ８は処理をステップＦ１０３からＦ１０９に進め、変数ｍをインクリメントする。そしてステップＦ１０６で番組グループ情報Ｄ４を参照し、グループＧＰ（ｎ）における第ｍのデータを取得する。変数ｍがインクリメントされているため、現在出力中の番組が属するグループにおいて、次の番組として管理されている番組のデータＶｅ（ｘ）又はＬｅ（ｘ）が取得されることになる。
そしてステップＦ１０７に進み、上記同様に、取得されたデータＶｅ（ｘ）又はＬｅ（ｘ）によって番組情報Ｄ３で管理されている録画番組情報Ｄ１又は放送番組情報Ｄ２を参照し、そのデータＶｅ（ｘ）又はＬｅ（ｘ）に相当する番組を出力させるように制御する。
【００４７】
例えば図５の管理状態の例において、グループＧＰ２（ｎ＝２）の第１（ｍ＝１）のデータＶｅ２に相当する番組が出力されている際に、Ｗａｒｐ＋キーが操作されたとしたら、上記処理により、同じくグループＧＰ２（ｎ＝２）の第２（ｍ＝２）のデータＶｅ５に相当する番組が出力される状態に切り換えられることになる。
【００４８】
Ｗａｒｐ−キーが操作された場合は、システムコントローラ８は処理をステップＦ１０４からＦ１１０に進め、変数ｍをデクリメントする。そしてステップＦ１０６で番組グループ情報Ｄ４を参照し、グループＧＰ（ｎ）における第ｍのデータを取得する。変数ｍがデクリメントされているため、現在出力中の番組が属するグループにおいて、１つ前の番組として管理されている番組のデータＶｅ（ｘ）又はＬｅ（ｘ）が取得されることになる。
そしてステップＦ１０７に進み、上記同様に、取得されたデータＶｅ（ｘ）又はＬｅ（ｘ）によって番組情報Ｄ３で管理されている録画番組情報Ｄ１又は放送番組情報Ｄ２を参照し、そのデータＶｅ（ｘ）又はＬｅ（ｘ）に相当する番組を出力させるように制御する。
【００４９】
なおステップＦ１０５，Ｆ１０８で、ＺａＰ＋キー、ＺａＰ−キーの操作に応じてグループを指定する変数ｎが変更されるとき、グループ内の番組を指定する変数ｍを、例えばｍ＝１にリセットするようにしてもよい。つまりグループの移動が行われるときには、グループの先頭に管理されている番組から出力されるようにしてもよい。
【００５０】
以上のように、ユーザーの検索操作に応じて、システムコントローラ８は番組グループ情報Ｄ４を参照して出力すべき番組を把握し、録画番組情報Ｄ１又は放送番組情報Ｄ２を参照して出力制御することで、ユーザーはグループ単位及びグループ内の番組検索を行っていくことができる。
そして番組グループ情報Ｄ４は、録画番組情報Ｄ１と放送番組情報Ｄ２が統一管理された上でグループ管理しているものであるため、ユーザーは録画された番組と放送中の番組を意識せずに検索していくことができる。
即ち録画された番組と現在放送中の番組をシームレスに扱うことのできる番組管理が実現される。
【００５１】
なお、図６のように検索操作に応じて映像を出力する際には、システムコントローラ１１は、出力している映像が録画番組であるのか放送中番組であるのかを画面上に表示し、ユーザーが区別できるようにすると好ましい。
また、ユーザーが例えば録画番組のみを検索したい場合、或いは放送中の番組のみを検索したい場合にも対応できるようにしても良い。
番組グループ情報Ｄ４は、図５に示すように、録画番組と放送中の番組を共通にグループ化しているが、それぞれを録画番組と放送中の番組とは区別できるようにしている（録画番組グループと放送番組グループ）。従って、例えばユーザーが録画番組のみに限定して検索操作を行った場合は、番組グループ情報Ｄ４において録画番組グループのみを対象として上記図７の処理を行い、またユーザーが放送中の番組のみに限定して検索操作を行った場合は、番組グループ情報Ｄ４において放送番組グループのみを対象として上記図７の処理を行うようにすればよい。
【００５２】
また上記のように番組グループ情報Ｄ４は、番組情報Ｄ３を参照する形式でグループ管理をしており、ＥＰＧデータ自体を含むものではない。これによって図２の管理構造を実現するために必要な記憶領域、例えばハードディスク上の領域を効率利用できる。
また、番組グループ情報Ｄ４が録画番組情報Ｄ１，放送番組情報Ｄ２とは別の管理情報として形成されるため、グループ管理を柔軟に行うことができる。例えば或る番組が複数のジャンルに相当し、複数のグループに含まれるような場合でも、容易に管理できる。例えばスポーツニュース番組を、番組グループ情報Ｄ４においてスポーツのグループとニュースのグループの両方に登録しても管理上で混乱したり管理が煩雑になることはない。
【００５３】
以上本発明の実施の形態を説明してきたが、本発明は上記例以外に広く適用できる。
例えばあらかじめ分類番号が映画などの映像コンテンツと共に記憶されている記憶媒体を再生する再生装置でも適用できる。映像とともに分類番号も記録するビデオカメラ、録音装置などの記録再生装置にも適用できる。即ちグループ管理可能なデータを再生する機器において、本発明は有効である。
さらに、上記実施の形態はデジタル衛星放送チューナに記録再生部を備えた構成としたが、チューナ機能を備えず、チューナ装置と接続される映像記録再生装置などとしての構成も考えられる。
【００５４】
【発明の効果】
以上の説明から理解されるように本発明によれば、番組（映像信号）を記録媒体に録画するときには、映像や音声とともに、関連する電子番組情報も記録され録画番組情報として管理される。また、放送中の番組に関して電子番組情報が放送番組情報として管理され、これらの録画番組情報と放送番組情報とが統一的に管理される。さらに、統一的に管理された録画番組情報と放送番組情報に含まれる番組情報がグループ別に管理される。そしてユーザーの検索操作に応じてグループ管理された情報を参照して放送映像信号又は再生映像信号が出力される。
これにより本発明では、電子番組情報の内容を利用して、録画した番組についてもジャンル毎のグループ管理が可能となり、録画番組の検索性を向上することができるという効果があり、大容量の記録媒体に多数の番組を録画できる映像記録再生装置として非常に好適である。
さらに、放送中の番組と録画した番組が、統一的にグループ管理されるものとなるため、ユーザーは、例えばジャンル別のグループ単位で見たい番組を検索していくことができ、またこのとき放送中番組か録画番組かを区別しないで検索できるため、非常に使用性の良いものとなる。
また、録画番組情報と放送番組情報とは別の当該グループ管理によれば、各番組情報のグループ管理を柔軟に行うことができる。例えば或る番組が複数のジャンルに相当し、複数のグループに含まれるような場合でも、容易に管理できる。またグループ管理が、統一的に管理された録画番組情報と放送番組情報に対して参照形式で行われることで、番組情報を重複して記録する必要はないため、管理のための情報記録領域の使用効率の向上を図ることができる。
【図面の簡単な説明】
【図１】本発明の実施の形態の映像記録再生装置のブロック図である。
【図２】実施の形態の番組情報管理形態の説明図である。
【図３】実施の形態の録画番組情報の説明図である。
【図４】実施の形態の放送番組情報の説明図である。
【図５】実施の形態の番組グループ情報の説明図である。
【図６】実施の形態の番組検索時の動作の説明図である。
【図７】実施の形態の番組検索時の処理のフローチャートである。
【符号の説明】
１　映像記録再生装置、２　チューナ部、３　番組情報抽出部、４　映像信号処理部、５　合成処理部、６　音声信号処理部、７　管面表示信号生成処理部、８　システムコントローラ、９　ＲＯＭ、１０　ＲＡＭ、１１　受信部、１２　記録再生部、１３　外部インターフェース、２０　リモートコントローラ
【図１】
2004064519.tif 000003
【図２】
2004064519.tif 000004
【図３】
2004064519.tif 000005
【図４】
2004064519.tif 000006
【図５】
2004064519.tif 000007
【図６】
2004064519.tif 000008
【図７】
2004064519.tif 000009